(57)【要約】【課題】  火災時に竪枠と横枠を突き合せているコーナー部から火炎が噴出するのを防止できる建具を提供する。【解決手段】  枠３と、障子５と、熱膨張耐火材３２ｄと、その取付金具４１とを備え、横枠１１の室内側見付壁１１ａと竪枠１３ａの室内側見付壁１０とを突き合せてあり、取付金具４１は横枠１１と竪枠１３ａとのコーナー部に配置してあり、枠側面４１ａを横枠１１の室内側見付壁１１ａと竪枠１３ａの室内側見付壁１０との突き合せ部８に重ねてあり、熱膨張耐火材３２ｄは取付金具４１の枠側面４１ａに取付けてあり、火災時に膨張して横枠１１の室内側見付壁１１ａと竪枠１３ａの室内側見付壁１０との突き合せ部８を塞ぐ。【選択図】図９
2014139395.tif 000002
【特許請求の範囲】
【請求項１】
枠と、障子と、熱膨張耐火材と、その取付金具とを備え、横枠と竪枠は各々障子の室内側に室内側見付壁を有し、横枠の室内側見付壁と竪枠の室内側見付壁とを突き合せてあり、取付金具は横枠と竪枠とのコーナー部に配置してあり、枠側面を横枠の室内側見付壁と竪枠の室内側見付壁との突き合せ部に重ねてあり、熱膨張耐火材は取付金具の枠側面に取付けてあり、火災時に膨張して横枠の室内側見付壁と竪枠の室内側見付壁との突き合せ部を塞ぐことを特徴とする建具。
【請求項２】
枠と、障子と、熱膨張耐火材と、その取付金具とを備え、竪枠は長手方向に中空部を有し、中空部の長手方向端部を横枠の見込面に突き合せてあり、取付金具は竪枠の中空部内に配置してあり、横枠の見込面に対向する横枠側面を有し、熱膨張耐火材は取付金具の横枠側面に取付けてあり、火災時に膨張して竪枠の中空部と横枠との突き合せ部を塞ぐことを特徴とする建具。
【発明の詳細な説明】
【技術分野】
【０００１】
本発明は、すべり出しサッシ、開きサッシ、外倒しサッシ、引戸等の枠に対して障子を開閉自在なサッシやドア等の建具に関する。
【背景技術】
【０００２】
特許文献１には、枠と障子を備える建具において、枠には横枠と竪枠とを突き合せてコーナー部を形成することが開示されている。
【先行技術文献】
【特許文献】
【０００３】
【特許文献１】特許第３３５５５１９号公報
【発明の概要】
【発明が解決しようとする課題】
【０００４】
しかし、火災時に、火災の熱により竪枠や横枠が変形して歪み、竪枠と横枠とを突き合せているコーナー部に隙間が生じることがあり、この隙間から火炎が噴出するという不都合があった。
【０００５】
そこで、本発明は、火災時に竪枠と横枠を突き合せているコーナー部から火炎が噴出するのを防止できる建具の提供を目的とする。
【課題を解決するための手段】
【０００６】
請求項１に記載の発明は、枠と、障子と、熱膨張耐火材と、その取付金具とを備え、横枠と竪枠は各々障子の室内側に室内側見付壁を有し、横枠の室内側見付壁と竪枠の室内側見付壁とを突き合せてあり、取付金具は横枠と竪枠とのコーナー部に配置してあり、枠側面を横枠の室内側見付壁と竪枠の室内側見付壁との突き合せ部に重ねてあり、熱膨張耐火材は取付金具の枠側面に取付けてあり、火災時に膨張して横枠の室内側見付壁と竪枠の室内側見付壁との突き合せ部を塞ぐことを特徴とする建具である。
【０００７】
請求項２に記載の発明は、枠と、障子と、熱膨張耐火材と、その取付金具とを備え、竪枠は長手方向に中空部を有し、中空部の長手方向端部を横枠の見込面に突き合せてあり、取付金具は竪枠の中空部内に配置してあり、横枠の見込面に対向する横枠側面を有し、熱膨張耐火材は取付金具の横枠側面に取付けてあり、火災時に膨張して竪枠の中空部と横枠との突き合せ部を塞ぐことを特徴とする建具である。
横枠の見込面に突き合せてある竪枠の中空部の長手方向端部は、中空部の端部全体でなく、一部を横枠の見込み面に突き合せている場合も含む。
【発明の効果】
【０００８】
請求項１に記載の発明によれば、横枠と竪枠を突き合せているコーナー部に配置した取付金具は、枠側面に熱膨張耐火材を設けているので、火災時に熱膨張耐火材が横枠の室内側見付壁と竪枠の室内側見付壁との突き合せ部を塞ぎ、枠のコーナー部から火炎が噴出するのを防止できる。
取付金具は横枠と竪枠を突き合せている突き合せ部に重ねているので、突き合せ部を補強することができる。
【０００９】
請求項２に記載の発明によれば、竪枠の中空部内に設けた取付金具は、横枠側面に熱膨張耐火材を設けているので、火災時に熱膨張耐火材が竪枠の中空部と横枠との突き合せ部を塞ぎ枠のコーナー部から火炎が噴出するのを防止できる。
【図面の簡単な説明】
【００１０】
【図１】本発明の第１実施の形態にかかる建具であって、図１１に示すＡ−Ａ断面図である。
【図２】本発明の第１実施の形態にかかる建具であって、図１１に示すＢ−Ｂ断面図であって、ハンドルとサブロックを除いて示す図である。
【図３】本発明の第１実施の形態にかかる建具であって、図１１に示すＣ−Ｃ断面図であって、ハンドルとサブロックを除いて示す図である。
【図４】本発明の第１実施の形態にかかる建具であって、下枠の一部を示す平面図である。
【図５】図１に示す障子受けの図であり、（ａ）は平面図、（ｂ）は側面図である。
【図６】図２に示す反り防止金具の図であり、（ａ）は平面図、（ｂ）は正面図、（ｃ）は側面図である。
【図７】図２に示す反り防止受け金具の図であり、（ａ）は平面図、（ｂ）は正面図、（ｃ）は側面図である。
【図８】図３に示す下戸先側取付金具（取付金具）の図であり、（ａ）は平面図、（ｂ）は正面図、（ｃ）は側面図である。
【図９】図８に示す下戸先側取付金具（取付金具）を取り付けた竪枠と下枠とのコーナー部を、タイト材を除いて示す斜視図であり、図９に一点鎖線で抜き出して示しているのは図９に示すＥ−Ｅ断面図である。
【図１０】図３に示す中空部取付金具（取付金具）の図であり、（ａ）は平面図、（ｂ）は側面図、（ｃ）は背面図、（ｄ）は上枠及び竪枠との関係を示した側面図である。
【図１１】本発明の第１実施の形態にかかる建具を室内側から見た正面図である。
【図１２】本発明の第２実施の形態にかかる建具であって、図１６に示すＦ−Ｆ断面図である。
【図１３】本発明の第２実施の形態にかかる建具であって、図１６に示すＧ−Ｇ断面図である。
【図１４】本発明の第２実施の形態にかかる建具であって、竪枠と下枠のコーナー部における組み付けを示す斜視図であり、（ａ）は組み付け前の状態であり、（ｂ）は組み付け後の状態を示す図である。
【図１５】図１４（ｂ）に示すコーナー部の図であり、（ａ）は図１４（ｂ）に示すＭ方向から見た平面図であり、（ｂ）は図１４（ｂ）に示すＮ方向から見た側面図である。
【図１６】本発明の第２実施の形態にかかる建具を室外側から見た正面図である。
【発明を実施するための形態】
【００１１】
以下に、添付図面を参照して本発明の実施の形態を説明するが、まず、図１〜図１１を参照して本発明の第１実施の形態について詳細に説明する。図１〜図３に示すように、第１実施の形態に係る建具１は、たてすべり出しサッシであり、枠３と、障子５と、障子受け６とを備えている。
枠３は、アルミニウム製の上枠９、下枠１１及び左右の竪枠１３ａ、１３ｂを有し、左右の竪枠１３ａ、１３ｂは各々上端部を上枠９の左右側端に重ね、下端部を下枠１１の左右側端に重ねて枠組してあり、各上枠９、１１及び左右の竪枠１３ａ、１３ｂには中空部を有する中空形材が用いられている。図１に示すように、下枠１１の中空部の内部には断面略コ字形状を成すスチール製の補強材３９が設けてある。
尚、第１実施の形態では、竪枠１３ａは戸先側竪枠であり、竪枠１３ｂは吊り元側竪枠である。
【００１２】
障子５はアルミニウム製の上框１７、下框１９及び左右の竪框２１ａ、２１ｂをガラス４の四周に框組してあり、各框１７、１９、２１ａ、２１ｂには中空部を有する中空形材が用いられている。尚、第１実施の形態では、２１ａは戸先側竪框であり、２１ｂは吊り元側竪框である。
図１及び図４に示すように、上枠９と上框１７の間及び下枠１１と下框１９との間には、吊り元側竪枠１３ｂ側に障子支持部材７が設けてあり、障子５が枠３に対して開閉自在に支持されている。障子支持部材７は、たてすべり出しサッシのステーである。
【００１３】
図１及び図５に示すように、障子受け６は下枠１１の上面に下枠１１の長手方向に沿って設けてあり、下框１９の下面側に向けて上方に突出した障子載置部６ａと、火災時の熱により下框に向け膨張する第１熱膨張耐火材３２ａとを備えている。尚、図４に示すように、障子受け６は、障子支持部材７を除いた部分に設けてある。
障子載置部６ａには、その上面に上方が開口した熱膨張耐火材保持溝６ｂが形成してあり、この熱膨張耐火材保持溝６ｂに第１熱膨張耐火材３２ａが保持されている。障子受け６の室内側には下枠１１の室内側見付面に配置した第２熱膨張耐火材３２ｂを押さえる熱膨張耐火材押さえ６ｃが設けてあり、第２熱膨張耐火材３２ｂの室外側面を押さえている。
【００１４】
図１に示すように、上枠９及び下枠１１には各々、その室内側部にタイト材保持部３３が各上枠９及び下枠１１の長手方向に沿って設けてあり、タイト材保持部３３には、障子５の室内側面に当接する不燃タイト材３５が保持されている。
図２及び図３に示すように、左右の竪枠１３ａ、１３ｂには室内側にタイト材保持部３７が設けてあり、タイト材保持部３７に不燃タイト材３５が保持されており、上枠９、下枠１１及び左右の竪枠１３ａ、１３ｂに設けた不燃タイト材３５が障子５の四周に当接している。
ここで、図９を参照して、下枠１１と左竪枠（戸先側竪枠）１３ａとのコーナー部について説明する。左竪枠１３ａには、その室内側見付壁１０の内周側にタイト材保持部３７が形成してあり、左竪枠１３ａの下端部は室内側見付壁１０及びタイト材保持部３７の部分を切除してある。
下枠１１にはその室内側見付壁１１ａの上端部に室外側に凹んだ凹部１１ｂが形成してあり、凹部１１ｂの底壁の室外側面にタイト材保持部３３が形成されている。下枠１１の左側端部は、タイト材保持部３３と凹部１１ｂの上壁部１１ｃとを切除して、上壁部１１ｃを切除した小口を左竪枠１３ａの室内側見付壁１０の下端部を切除した小口に突き合せ部８で突き合せてある。換言すれば、この突き合せ部８でも下枠１１と竪枠１３ａとが当接している。
尚、図示していないが、下枠１１のタイト材保持部３３に設けた不燃タイト材３５の側面には各竪枠１３ａのタイト材保持部３７に設けた不燃タイト材３５の端面を当接して縦横の不燃タイト材３５を連続させている。
【００１５】
図３に示すように、左竪枠１３ａには、その下端部の見込面に、スチール製の下戸先側取付金具４１がねじで固定されている。図３、図８及び図９に示すように、下戸先側取付金具４１は見付面部（枠側面）４１ａと見込面部４１ｂとで横断面がＬ字形状を成しおり、見込面部４１ｂを戸先側竪枠１３ａの見込面にねじで固定してある。図９に示すように、下戸先側取付金具４１の見付面部４１ａは、下枠１１の左端部で上壁部１１ｃを切除した小口と戸先側竪枠１３ａの室内側見付壁１０を切除した小口との突き合せ部８の室外側面に重ねて配置してある。見付面部４１ａにはその障子側面に第３熱膨張耐火材３２ｃが設けてあり、枠側面（室内側面）には第４熱膨張耐火材３２ｄが設けてある。第４熱膨張耐火材３２ｄは、下枠１１の上面から突き合せ部８の近傍に至る長さを有している。
図２に示すように、戸先側竪枠１３ａの室内側見付壁１０の室外側面には、下戸先側取付金具４１を除く、上下方向に亘って第５熱膨張耐火材３２ｅが設けてあり、熱膨張耐火材押さえ材４２で押えてある。この第５熱膨張耐火材３２ｅは火災時の熱により、対向する戸先側竪框２１ａに向けて膨張し、戸先側竪枠１３ａと戸先側竪框２１ａとの間を塞ぐ。
同様に、吊り元側竪枠１３ｂにも、その室内側見付壁１０の室外側面に、上下方向に亘って第６熱膨張耐火材３２ｆが設けてあり、熱膨張耐火材押さえ材４２で押えてある。この第５熱膨張耐火材３２ｆは火災時の熱により、対向する吊り元側竪框２１ｂに向けて膨張し、竪枠１３ｂと吊り元側竪框２１ｂとの間を塞ぐ。
【００１６】
図２及び図３に示すように、戸先側竪枠１３ａと吊り元側竪枠１３ｂの各中空部１２の上端部と下端部とには、スチール製の中空部取付金具４４が設けてある。各中空部取付金具４４は、各竪枠１３ａ、１３ｂと上枠９とのコーナー部及び、各竪枠１３ａ、１３ｂと下枠１１とのコーナー部に対応して位置し、図１０に示すように、上端部に設けた各中空部取付金具４４は、上枠側面に第７熱膨張耐火材３２ｇが設けてあり、竪枠側面に第８熱膨張耐火材３２ｈが設けてある。図３に示すように、下端部に設けた各中空部取付金具４４は、下枠側面に第７熱膨張耐火材３２ｇが設けてあり、竪枠側面に第８熱膨張耐火材３２ｈが設けてある。竪枠１３ａ、１３ｂの上端に位置する第８熱膨張耐火材３２ｈは、図１０（ｄ）に示すように、各竪枠１３ａ、１３ｂの上端部に設けてある横不燃タイト材３５の呑み込み用切除部６９に近接して位置してあり、同様に、竪枠１３ａ、１３ｂの下端に位置する第８熱膨張耐火材３２ｈは、各竪枠１３ａ、１３ｂの下端部に設けてある横不燃タイト材３５の呑み込み用切除部（図示せず）に近接して位置している。
【００１７】
図１に示すように、下框１９の中空部２０の内部には断面略コ字形状を成すスチール製の補強材４５が設けてあり、図２及び図３に示すように、左右の竪框２１ａ、２１ｂの中空部２２の内部にも断面略コ字形状を成すスチール製の補強材４６が設けてある。
下框補強材４５の左右端部には、その室内側見付面に第９熱膨張耐火材３２ｉが設けてあり、各竪框補強材４６の上端部と下端部とには、各々室内側見付面に第１０熱膨張耐火材３２ｊが設けてある。
第９熱膨張耐火材３２ｉは、火災時の熱により膨張して補強材４５を下框１９に止めているねじとねじ孔との隙間を塞ぎ、第１０熱膨張耐火材３２ｊは、火災時の熱により膨張して補強材４６を各竪框２１ａ、２１ｂに止めているねじとねじ孔との隙間を塞ぐ。
尚、図１に示すように、下框１９の補強材４５の下面には、水抜き孔（図示せず）に対向する位置に第１３熱膨張耐火材３２ｎが設けてあり、火災時に対向する位置に形成してある水抜き孔を塞ぐようになっている。
図１及び図２に示すように、ガラス４の四周にはガラスの端部を保持するグレイジングガスケット４９が設けてあり、各障子の框１７、１９、２１ａ、２１ｂのガラス保持溝２９には、溝壁とグレイジングガスケット４９との間にスチール製のガラス保持溝補強材５３が設けてある。
【００１８】
図２、図３及び図１１に示すように、吊元側竪框２１ｂには、スチール製の開き防止金具６１が上中下の３箇所に設けてあり、対向する吊元側竪枠１３ｂにはスチール製の受け金具６３が取付けてある。開き防止金具６１は、図６に示すように竪枠側に突出した突片６１ａを有し、受け金具６３は、図７（ｃ）に示すように室外側壁６３ａ、上壁６３ｂ及び下壁６３ｃを有し、開き防止金具６１の突片６１ａが室外側壁６３ａ、上壁６３ｂ及び下壁６３ｃで囲まれる空間Ｓ内に配置してあり、室外側に移動しようとすると室外側壁６３ａに当接して室外側に外れるのを阻止している。開き防止金具６１の突片６１ａはその肉厚部分が上壁６２ａと下壁６３ｃとの間に位置して、室外側端６１ｂと室外側壁６３ａの肉厚部分（辺と辺）とが交差して位置している。
【００１９】
図２に示すように、戸先側竪框２１ａの上部には、戸先側竪框２１ａの見込面と戸先側竪枠１３ａの見込面との間に、スチール製の反り防止金具６５が設けてあり、戸先側竪枠１３ａには反り防止受け６７が設けてある。反り防止金具６５は見付け面部６５ａを有し、反り防止受け６７は見込面部６５ａに対向する水平方向の見付け片部６７ａを有し、障子５に反りが生じると反り防止金具６５の見付け面部６５ａが反り防止受け６７の見付け片部６７ａに当接して障子５が大きく反るのを防止する。
【００２０】
次に、第１実施の形態にかかる建具１の作用効果について説明する。
図３に示すように、下戸先側取付金具４１では、上述したように火災時に障子側面に設けた第３熱膨張耐火材３２ｃが膨張して第５熱膨張耐火材３２ｅがない部分で戸先側竪枠１３ａと戸先側竪框２１ａとの間を塞ぐほか、図９及び図１１に示すように、枠側面に設けた第４熱膨張耐火材３２ｄが膨張して、下枠１１の上壁部１１ｃを切除した小口と左竪枠１３ａの室内側見付壁１０を切除した小口の突き合せ部８を塞ぎ、かかる突き合せ部８からの火炎の噴出を防止すると共に、左竪枠１３ａの室内側見付壁１０を切除した小口と下枠１１の凹部１１ｂとの間を塞ぐ。また、下戸先側取付金具４１は、見付面部４１を突き合せ部８に重ねて配置しているので、突き合せ部８を補強することができる。
尚、戸先側竪枠１３ａと上枠９の突き合せ部８との間の空間は、第５熱膨張耐火材３２ｅが塞ぎ、吊り元側竪枠１３ｂと上枠９の突き合せ部８との間の空間は第６熱膨張耐火材３２ｆが塞ぐ。
図２、図３及び図１０に示すように、各竪枠１３ａ、１３ｂの上端部と下端部とに設けた中空部取付金具４４は、下枠１９との対向面及び上枠９との対向面に第７熱膨張耐火材３２ｇを設けているので、火災時に各竪枠１３ａ、１３ｂとコーナーを形成する下枠１１及び上枠９との間を塞ぎ、各竪枠１３ａ、１３ｂと下枠１１及び上枠９とのコーナー部から火炎が噴出するのを防止できる。
図１０（ｄ）に示すように、中空部取付金具４４の室内側見付面に設けた第８熱膨張耐火材３２ｈは、火災時に膨張して、竪枠１３ａ、１３ｂの各上端部と下端部に各々設けた横不燃タイト材３５の呑み込み用切除部６９を塞ぐ。
【００２１】
図１及び図２に示すように、下枠１１の上面に設けた障子受け６は、通常時には障子５は障子受け６との間に隙間をあけているので、障子５を開閉するときに邪魔にならない。
火災時に、火災の熱により、例えば障子支持具７の樹脂製部分が溶融することにより、障子５が下がると下枠１１の上面から上方に突設している障子載置部６ａに障子５を載置することにより、障子５が大きく下がって脱落するのを防止する。また、障子５を障子載置部６ａに載置して支持することにより、障子５が大きく下がって枠３との間に大きな隙間が生じるのを防止できる。
障子受け６は下枠１１の上面から突設して、障子下框１９との間の間隔を狭めているので、火災時に障子下端からの通気を抑制できる。
また、火災時の熱を受けると障子受け６に設けた第１熱膨張耐火材３２ａが膨張することで、障子５の下端との隙間を塞ぎ、障子下側から室外側へ火炎が噴出するのを防止できる。
【００２２】
下枠１１に設けた第２熱膨張耐火材３２ｂ（図１参照）、上枠９に設けた第１２熱膨張耐火材３２ｋ（図１参照）、戸先側竪枠１３ａに設けた第５熱膨張耐火材３２ｅ（図２参照）、吊り元側竪枠１３ｂに設けた第６熱膨張耐火材３２ｆ（図２参照）及び下戸先側取付金具４１に設けた第３熱膨張耐火材３２ｃ（図３参照）が、火災時に膨張して、障子５の周囲で障子５と枠３との間を塞ぐので、火災時に障子５と枠３との間から火炎が噴出するのを防止できる。
更に、各第２熱膨張耐火材３２ｂ、第１２熱膨張耐火材３２ｋ、第５熱膨張耐火材３２ｅ、第６熱膨張耐火材３２ｆ及び第３熱膨張耐火材３２ｃは、不燃タイト材３５に近接して設けてあり、膨張したときに不燃タイト材３５の上下左右の端部の繋ぎ目や火災時の熱で不燃タイト材３５が切れた部分を塞ぐことができるので、不燃タイト材３５の繋ぎ目や切れた部分から火炎が噴出するのを防止できる。
また、図１に示すように、下枠１１では、第２熱膨張耐火材３２ｂと障子受け６に設けた第１熱膨張耐火材３２ａとが障子５の下框１９に向けて交差する方向に膨張して下框１６との間を塞ぐので、下枠１１と下框１９との間を効果的に塞ぐことができる。
図２及び図３に示すように、吊り元側竪枠１３ｂと吊り元側竪框２１ｂとの間に設けた開き防止金具６１と受け金具６３とは、突片６１ａを水平にしてその肉厚部分（辺）が受け金具６３の室外側壁６３ａの肉厚部分（辺）と交差するように配置してあるので、開き防止金具６１と受け金具６３とが面接触する場合に比較して、第６熱膨張耐火材３２ｆが膨張したときにその膨張を妨げないと共に受け金具６３の突片６１ａの位置調整が容易にできる。
図１及び図２に示すように、上框１７、下框１９及び左右の竪框２１ａ、２１ｂには、ガラス保持溝５１内にスチール製のガラス保持溝補強材５３が設けてあり、ガラス保持溝補強材５３によりガラスの四周を保持しているので、火災時にアルミニウム製の上框１７、下框１９及び竪框２１、２１が溶けた場合でもガラス４を保持して、ガラス４の脱落を防止できる。
【００２３】
以下に本発明の他の実施の形態を説明するが、以下に説明する実施の形態において、上述した第１実施の形態と同一の作用効果を奏する部分には同一の符号を付することによりその部分の詳細な説明を省略し、以下の説明では第１実施の形態と主に異なる点を説明する。
図１２〜図１６に、本発明の第２実施の形態にかかる建具１を示す。この第２実施の形態にかかる建具１は、内倒しサッシであり、図１２に示すように、下枠１１には室内側と室外側の中間位置に立ち上げ片１１ｄが形成してあり、この中間立ち上げ片１１ｄの上端に回転軸部１１ｅが形成してあり、障子５を回転軸部１１ｅを中心にして室内側に倒して窓を開くものである。また、図１３に示すように、室外側から見て左側にある左竪枠１３ａと左竪框２１ａとの間には、障子支持部材７が設けてある。
【００２４】
図１２に示すように、上枠９と下枠１１には室外側で内周側に突設する横室外側見付壁１０ｂが設けてあり、上枠９及び下枠１１の横室外側見付壁１０ｂには、各々その内周側端にタイト材保持部３３が形成されている。図１３に示すように、左右の竪枠１３ａ、１３ｂには、各々室外側で内周側に突設する縦室外側見付壁１０ａが設けてあり、左右の竪枠１３ａ、１３ｂの縦室外側見付壁１０ａには、各々その内周側端にタイト材保持部３７が形成されている。
また、図１３及び図１４に示すように、この第２実施の形態では、左右の竪枠１３ａ、１３ｂの各中空部１２は室内側と室外側の中間位置に形成してあり、中空部１２を形成している中間壁１２ａを中空部１２よりも内周側に突設してある。
尚、図１２及び図１６に示すように、下框１９のガラス保持溝補強材５３の室外側には、長手方向に間隔をあけて設けたアルミニウム製のセッティングブロック７１が設けてある。
【００２５】
ここで、左右の竪枠１３ａ、１３ｂと下枠１１との各コーナー部について説明するが、左右の各コーナー部は同じ構成であるから、図１４を参照して左竪枠１３ａと下枠１１のコーナー部について説明する。
図１４（ａ）に示すように、竪枠１３ａにおいて、縦室外側見付壁１０ａのタイト材保持部３７の下側は切除してあると共に、中空部１２の中間壁１２ａ及び内周側壁１２ｂの下側も切除してある。竪枠１３ａと下枠１１との組み付けは、図１４（ｂ）に示すように、竪枠１３ａのタイト材保持部３７の下端を下枠９のタイト材保持部３３の上面に突き合せてあり、竪枠１３ａの中間壁１２ａの下端を下枠１１の回転軸部１１ｅの上端に突き合せて突き合せ部８ａとしてある。
中空部１２の内周側壁１２ｂは、下端を下枠１１のタイト材保持部３３の上面と突き合せて突き合せ部８ｂとしてあり、下枠１１の上面と突き合せて突き合せ部８ｃとしてある。
【００２６】
次に、第２実施の形態かかる建具１における各熱膨張耐火材について説明する。
図１５に示すように、左竪枠１３ａの下部に設けた中空部取付金具４４には、下枠（横枠）１１の見込面１１ｆに対向する横枠側面４４ａに第７熱膨張耐火材３２ｇが設けてある。
図１２及び図１３に示すように、上枠９、下枠１１の各横室外側側見付壁１０ｂ及び左右の竪枠１３ａ、１３ｂの各竪室外側見付壁１０ａには、各々室内側面に長手方向に亘って第１４熱膨張耐火材３２ｍが設けてあり、火災時に障子５の対向する各框１７、１９、２１ａ、２１ｂとの間を塞ぐようになっている。下枠１１に設けた第１４熱膨張耐火材３２ｍは、図１４及び図１５（ｂ）に示す中空部１２の内部に入り込んでいる。
また、図１２に示すように、障子５の上框１７の外周側面にはその長手方向に、火災時に上枠９との間を塞ぐ第１５熱膨張耐火材３２ｐが設けてあり、図１３に示すように、左右の竪枠１３ａ、１３ｂには、各内周側面の長手方向に第１６熱膨張耐火材３２ｑが設けてあり、火災時に障子５の対向する左右の竪框１３ａ、１３ｂとの間を塞ぐようになっている。
図１２及び図１３に示すように、障子５の各框１３ａ、１３ｂ、１７、１９に設けたガラス保持溝補強材５３の室内側に第１７熱膨張耐火材３２ｒが設けてあり、火災時にガラス４との間を塞ぐようになっている。
尚、図１２に示すように、下枠１１の中空部内に設けた補強材３９には、水抜き孔７３に対向する位置に第１８熱膨張耐火材３２ｓが設けてあり、火災時に膨張して水抜き孔７３を塞ぐようになっている。
【００２７】
第２実施の形態によれば、図１５（ｂ）に示すように、竪枠１３ａの下端部に設けた中空部取付金具４４は、下枠１１の見込み面１１ｆに対向する横枠側面４４ａに第７熱膨張耐火材３２ｇを設けているので、火災時に第７熱膨張耐火材３２ｇが膨張することにで、中空部１２において中空部取付金具４４より下側と下枠１１の上面との間の空間を塞ぎ、これにより下枠１１と左竪枠１３ａの中空部１２との各突き合わせ部８ａ、８ｂ、８ｃや、中空部１２の内側周壁１２ｂの室外側小口１２ｃと下枠１１の横室外側側見付壁１０ｂの空間Ｐを塞ぐことができるから、これらの突き合わせ部８ａ、８ｂ、８ｃや空間Ｐからの火炎や煙の噴出を防止できる。併せて、下枠１１に設けた第１４熱膨張耐火材３２ｍは、中空部１２の内部に入り込んでいるので、火災時に中空部１２内に熱膨して第７熱膨張耐火材３２ｇが各突き合わせ部８ａ、８ｂ、８ｃや、空間Ｐを塞ぐのを補助する。
特に、火災時には竪枠１３ａが熱伸びにして反りが生じることにより、竪枠１３ａと下枠１１の各突き合わせ部８ａ、８ｂ、８ｃに隙間が生じても、かかる隙間を塞ぐことができる。
図１２及び図１３に示すように、障子５には、上框１７、下框１９及び左右の框２１ａ、２１ｂに設けた各ガラス保持溝補強材５３に第１７熱膨張耐火材３２ｒが設けてあるから、火災時に各框１７、１９、２１ａ、２１ｂとガラス４との間を塞ぎ、ガラス４の四周で室内と室外が連通して火炎や煙が室内側に入り込んだり、室内側から噴出するのを防止できる。
また、下框１９にはガラス保持溝補強材５３の上にアルミニウム製のセッティングブロック７１を設けているので、火災時にグレイジングガスケット４９が溶融してもガラス４が下がるのを阻止してガラス４を安定に保持できる。
【００２８】
本発明は、上述した実施の形態に限らず、本発明の要旨を逸脱しない範囲で種々変形可能である。
例えば、建具１は、たてすべり出しサッシや内倒しサッシに限らず、外倒しサッシ、すべり出サッシ、開きサッシ、回転サッシ、引戸などの枠３に障子５を開閉自在に支持されたサッシや、ドアであって合っても良い。建具１がドアの場合には障子５はドア本体である。
下戸先側取付金具４１及び中空部取付金具４４は、スチール製に限らず、不燃材料からなるものであれば良く、好ましくは、アルミニウムと同等以上の耐熱性を有する材料からなるものであれば良い。
第１実施の形態において、下戸先側取付金具４１は、枠３の各コーナー部に設けて、各コーナー部の突き合せ部８を第４熱膨張耐火材３２ｄで塞ぐようにしても良い。
第２実施の形態において、中空部取付金具４４は、左右の各竪枠１３ａ、１３ｂの上端部に設けた上枠９と各竪枠１３ａ、１３ｂとの突き合せ部を塞ぐものであっても良い。
【符号の説明】
【００２９】
１    建具
３    枠
５    障子
８、８ａ、８ｂ、８ｃ    突き合せ部
９    上枠（横枠）
１０  竪枠の室内側見付壁
１１ａ  横枠の室内側見付壁
１１  下枠（横枠）
１３ａ  戸先側竪枠（竪枠）
１３ｂ  吊り元側竪枠（竪枠）
１２    中空部
３２ｄ  第４熱膨張耐火材（熱膨張耐火材）
３２ｇ  第７熱膨張耐火材（熱膨張耐火材）
３２ｈ  第８熱膨張耐火材（熱膨張耐火材）
４１  下戸先側取付金具（請求項１に係る取付金具）
４１ａ  見付面部（枠側面）
４４  中空部取付金具（請求項２に係る取付金具）
４４ａ  横枠側面
【図１】
2014139395.tif 000003
【図２】
2014139395.tif 000004
【図３】
2014139395.tif 000005
【図４】
2014139395.tif 000006
【図５】
2014139395.tif 000007
【図６】
2014139395.tif 000008
【図７】
2014139395.tif 000009
【図８】
2014139395.tif 000010
【図９】
2014139395.tif 000011
【図１０】
2014139395.tif 000012
【図１１】
2014139395.tif 000013
【図１２】
2014139395.tif 000014
【図１３】
2014139395.tif 000015
【図１４】
2014139395.tif 000016
【図１５】
2014139395.tif 000017
【図１６】
2014139395.tif 000018